(57)【要約】【課題】環境に配慮した自然な感覚の装飾効果が得られる仮囲いを提供する。【解決手段】仮囲い用のパネル基板１の表面に、保水性石材３、４の小片を直接貼着するか、又は保水性石材３、４をボード基板５に取り付けてなる生態系育成化粧板２をパネル基板１に貼着する。生態系育成化粧板２の表面に植物を植栽し、生態系育成化粧板２には給水手段１１を設ける。保水性石材３、４を貼着した仮囲いパネル、あるいは生態系育成化粧板２を貼着した仮囲いパネルＰ２、Ｐ３、あるいは植物１０を植栽した仮囲いパネルＰ３、を組み合わせて仮囲い装置を構成する。【選択図】図８
2012172394.tif 000002
【特許請求の範囲】
【請求項１】
仮囲い用のパネル基板の表面に保水性石材の小片を貼着したことを特徴とする仮囲いパネル。
【請求項２】
仮囲い用のパネル基板の表面に、保水性石材の小片をボード基板に取り付けてなる生態系育成化粧板を貼着したことを特徴とする仮囲いパネル。
【請求項３】
前記保水性石材は、熔岩、抗火石、軽石等の多孔質の天然石材、多孔質の軽量骨材、人工軽量骨材、またはポーラスコンクリートで自然石風のものから選択された多孔質の石材であることを特徴とする請求項１又は２記載の仮囲いパネル。
【請求項４】
前記保水性石材は、粒子状のものであることを特徴とする請求項１又は２記載の仮囲いパネル。
【請求項５】
請求項１ないし４のいずれかに記載の仮囲いパネルを組み合わせて構成したことを特徴とする仮囲い装置。
【請求項６】
前記生態系育成化粧板の表面に植物を植栽し、該植物へ給水する給水手段を設けたことを特徴とする請求項５記載の仮囲い装置。
【発明の詳細な説明】
【技術分野】
【０００１】
本発明は、建築、土木などの工事現場を囲う仮囲いパネルおよび仮囲い装置に関し、特に、鋼板などからなるパネル基板の表面に熔岩状の保水性石材を施した仮囲いパネルおよびこの仮囲いパネルを使用した仮囲い装置に関するものである。
【背景技術】
【０００２】
従来、工事現場を囲う仮囲いのパネルに種々のデザインなどの装飾を施した仮囲い装置が種々提供さている。例えば、連ねることで仮囲いを構築するための単板からなる仮囲いパネルの表面に面ファスナーを設け、この面ファスナーと対になる面ファスナーを備えた装飾用シートを単板に取り付けた仮囲いシステムがある（例えば特許文献１参照）。
【先行技術文献】
【特許文献】
【０００３】
【特許文献１】特開２０１０−１８５２２３号公報
【発明の概要】
【発明が解決しようとする課題】
【０００４】
しかしながら、このような従来の仮囲い装置では、装飾用シートは印刷によりデザインを施したものに過ぎないため、環境に合った自然な感覚、例えば、自然な緑化やタイル感覚の装飾効果は得にくいばかりでなく、ヒートアイランド現象の緩和および騒音吸収の効果も得にくいという問題があった。
【０００５】
本発明は、上記のような課題を解決するもので、環境に配慮した自然な感覚の装飾効果が得られ、かつヒートアイランド現象の緩和および騒音吸収を可能にした仮囲いパネルおよび仮囲い装置を提供することを目的とする。
【課題を解決するための手段】
【０００６】
上記課題を解決するため、請求項１記載の仮囲いパネルは、仮囲い用のパネル基板の表面に保水性石材の小片を貼着したことを特徴とする仮囲いパネル
【０００７】
請求項２記載の仮囲いパネルは、仮囲い用のパネル基板の表面に、保水性石材の小片をボード基板に取り付けてなる生態系育成化粧板を貼着したことを特徴とする。
【０００８】
請求項３記載の仮囲いパネルは、請求項１又は２記載の仮囲いパネルであって、前記保水性石材は、熔岩、抗火石、軽石等の多孔質の天然石材、多孔質の軽量骨材、人工軽量骨材、またはポーラスコンクリートで自然石風のものから選択された多孔質の石材であることを特徴とする。
【０００９】
請求項４記載の仮囲いパネルは、請求項１又は２記載の仮囲いパネルであって、前記保水性石材は、粒子状のものであることを特徴とする。
【００１０】
請求項５記載の仮囲い装置は、請求項１ないし４のいずれかに記載の仮囲いパネルを組み合わせて構成したことを特徴とする。
【００１１】
請求項６記載の仮囲い装置は、請求項５記載の仮囲い装置であって、前記生態系育成化粧板の表面に植物を植栽し、該植物へ給水する給水手段を設けたことを特徴とする。
【発明の効果】
【００１２】
本発明の仮囲いパネルおよび仮囲い装置によれば、保水性石材の小片を仮囲い用のパネル基板に直接貼着するか、保水性石材の小片をボード基板に取り付けてなる生態系育成化粧板をパネル基板の表面に貼着したので、環境に配慮した自然な感覚の装飾効果が得られ、かつヒートアイランド現象の緩和および騒音吸収を可能にした仮囲いパネルおよび仮囲い装置が得られる。
【図面の簡単な説明】
【００１３】
【図１】本発明の仮囲いパネルの実施形態を示すもので、（ａ）はパネル基板、（ｂ）は生態系育成化粧板の正面図である。
【図２】仮囲いパネルの横断面図である。
【図３】保水性石材とボード基板の固着構造の一例を示す断面図である。
【図４】保水性石材とボード基板の固着構造の他例を示す断面図である。
【図５】（ａ）は生態系育成化粧板の他の実施形態を示す斜視図、（ｂ）は拡大図である。
【図６】植物を植栽した生態系育成化粧板の例を示す斜視図である。
【図７】仮囲い装置の一実施形態を示す正面図である。
【図８】仮囲い装置の他の実施形態を示す正面図である。
【発明を実施するための最良の形態】
【００１４】
以下、添付図面を参照して、本発明の仮囲いパネルおよび仮囲い装置の実施の形態を説明する。
図１（ａ）は、仮囲いパネルを構成するパネル基板の正面図、（ｂ）は生態系育成化粧板の正面図、図２は、パネル基板に生態系育成化粧板を貼り付けて構成された仮囲いパネルの断面図である。
【００１５】
図１（ａ）に示すように、パネル基板１は、アドフラット（登録商標）、ＶＩＣパネルなどの鋼板製のもので、長方形の本体１aの両側縁にジョイント部１ｂ、１ｃが形成され、隣接する基板１のジョイント部１ｂ、１ｃを突き合わせてジョイントすることにより、工事現場の仮囲い装置Ａを構成するようになっている（図７参照）。
【００１６】
図２に示すように、パネル基板１の表面に生態系育成化粧板２を取り付けて、仮囲いパネルＰを構成している。生態系育成化粧板２は、図１（ｂ）に示すように、スライスした熔岩、抗火石、軽石等の多孔質の保水性石材３、４を、ボード基板５に固着して構成されたものである。なお、保水性石材４は、保水性石材３よりも厚みも外径も小さい形状のものであるが、保水性石材３、４は同質のものとすることができる。
【００１７】
保水性石材３、４としては、例えば、熔岩、抗火石、軽石等の多孔質の天然石材、多孔質の軽量骨材、人工軽量骨材、またはポーラスコンクリートで自然石風のもの、等の多孔質の保水性石材が用いられる。これらのうち、熔岩は、保水性に富み、常に湿潤状態を保つことが可能であるばかりでなく、吸水性および透水性にも富む石材であるため、コケその他の植物を育成しやすく、隣接部にも芝等が育成しやすい。また、熔岩には浄化作用があり、河川に設置すると、汚染された河川を浄化してより生態系に好ましい自然環境を得ることができる。したがって、保水性石材３として溶岩が好ましい。但し、植物を育成するに必要な湿潤状態を保つことができる保水性を有する石材であれば、溶岩以外の石材を用いてもよい。
【００１８】
このような保水性石材３は、スライスしてスライス面をボード基板５に貼着する。ボード基板５としては、コンクリートプレート、ポーラスコンクリート、ＰＣ板、プラッスチック板、または木材等が用いられるが、ボード基板５の材質も限定されない。ボード基板５として、プラッスチック板等の樹脂を用いれば軽量で低コストに製造することができ、これにスライスした熔岩等を貼着することによって薄型のものを作製することが可能となる。また、コンクリートプレートを用いるときは、軽量コンクリート、発泡コンクリートで成型したものが好ましい。ボード基板５には、透水性を確保するため複数の孔６を設けている。
【００１９】
図３および図４は、保水性石材３とボード基板５の固着構造を示している。
図３は、保水性石材３のスライス面をボード基板５の面に貼着した構造であって、孔６が保水性石材３に対応している。
【００２０】
図４は、保水性石材３をボード基板５に埋め込んだ構造であって、孔６は保水性石材３の存在しない部分のボード基板５に形成されている。
【００２１】
保水性石材３間の目地部分には、砂層７を設けている。この砂層７に、芝等の種を蒔けば、芝、こけ等が育成され、無味乾燥なボード表面を完全に覆うことができる。砂層７は、ボードの表面１〜５ｃｍ位の層とすることが好ましく、表面化粧骨材間の目地部分の砂層は、そのままでも景観に優れているが、砂地には、ブロック成型時に予め、または、ブロックの成型後芝の種を蒔き芝を育成させてもよい。なお、砂層７を厚くすると根の生える背丈の大きい植物が育成でき、砂層７を薄くすると背丈の低い植物が育成できるため、砂層７を調整することによって育成する植物も選択することができる。このため、施工場所に育成させる植物によって砂層を調整することができる。例えば、雑草の繁殖を好まないときは、砂層７を薄くして用いればよい。また、砂層７を設けないときは、表面に熔岩をできるだけ多く露出させるのが好ましい。
【００２２】
図５および図６は、生態系育成化粧板の他の実施形態を示している。
図５に示す生態系育成化粧板２０は、ボード基板５の表面に、粒径１０ｍｍ以下の石、砂、セラミック粒等の表面化粧骨材７と、粒径５ｍｍ以下の吸水性または保水性を有する粒子８をボード基板５の表面に張り付ける。これらの固着にはモルタルあるいはエポキシ樹脂などの接着剤を使用する。表面化粧骨材７により自然の風合いをかもし出すとともに、吸水性、保水性を有する粒子８によりパネル１表面の湿潤状態を保持することで、コケ類その他の植物が生育し、さらに小動物、昆虫等の生息の場を提供することができる。
【００２３】
図６は、図１（ｂ）に示す生態系育成化粧板２の表面に植物１０を植栽したものである。なお、図５に示す生態系育成化粧板２０の表面に植物１０を植栽することも可能である。保水性石材３や粒子８は保水性を有し、湿潤状態を保つことができるので、苔、蔓など任意の植物を植栽することができ、給水を行うことにより、長持ちさせることも可能である。
【００２４】
図７は、仮囲い装置の具体的な実施形態を示している。図１に示す生態系育成化粧板２をパネル基板１に貼り付けて仮囲いパネルＰを作成し、この仮囲いパネルＰをジョイントして仮囲い装置Ａ１を構成する。この実施形態では、図１、図２に示す生態系育成化粧板２を貼り付けた仮囲いパネルを全面に使用した仮囲い装置Ａ１の例である。
【００２５】
図８は、種々の異なる仮囲いパネルを組み合わせて構成された仮囲い装置の例である。
パネル基板１のみで構成された第１の仮囲いパネルＰ１に、異なった種類の生態系育成化粧板を備えた第２の仮囲いパネルＰ２と第３の仮囲いパネルＰ３を組み合わせて仮囲い装置Ａ２を構成した例である。
【００２６】
第２の仮囲いパネルＰ２は、図１（ｂ）に示す生態系育成化粧板２を中間に設け、上下に図６に示す粒子からなる生態系育成化粧板２０を設けた構成のものである。第３の仮囲いパネルＰ３は、図６に示す植物１０を植栽したものである。生態系育成化粧板２、２０は、保水性石材３又は粒子８をボード基板５に取り付けた構成であるので、水分を含ませた保水性石材３又は粒子８に苔や蔓など所望の植物１０を植栽することができる。このような仮囲い装置A、Ａ２の裏面の上部に給水管１１を配管し、給水管１１から仮囲いパネルP３に分岐管（図示せず）を配管して、保水性石材３、４や粒子８に水を供給し、保水性石材３、４や粒子８に水分を含ませることにより、植物１０を長持ちさせることができる。
【００２７】
仮囲いパネルＰ１、Ｐ２、Ｐ３の組み合わせは任意に変更することができ、図８の構成は例示にすぎない。
【００２８】
上記実施形態では、保水性石材３、４をボード基板５に固着して構成された生態系育成化粧板２をパネル基板１の貼着した構成を示したが、保水性石材３、４をパネル基板１に直接貼着するように構成することも可能である。この構成では、ボード基板５を用いないため、その分材料費を節減することができる。
【００２９】
以上のように、本発明の仮囲い装置では、保水性石材３の小片を取り付けた仮囲いパネルを用いることにより、自然なタイル感覚や緑化の装飾効果が得られ、工事現場の景観修景ができるとともに、多孔質の保水性石材３によりヒートアイランド現象の緩和、騒音吸収およびＣＯ２の削減も可能となり、環境保全の効果の高い仮囲い装置が得られる。また、植物の植栽と給水を組み合わせることにより、これらの効果をさらに向上させることができる。
【符号の説明】
【００３０】
１  基板
２、２０  生態系育成化粧板
３、４  保水性石材
５  ボード基板
６  孔
７  砂層
８  粒子
１０  植物
１１  給水管
Ｐ１、Ｐ２、Ｐ３  仮囲いパネル
Ａ、Ａ１、Ａ２  仮囲い装置
【図１】
2012172394.tif 000003
【図２】
2012172394.tif 000004
【図３】
2012172394.tif 000005
【図４】
2012172394.tif 000006
【図５】
2012172394.tif 000007
【図６】
2012172394.tif 000008
【図７】
2012172394.tif 000009
【図８】
2012172394.tif 000010